(57)【要約】【課題】  本発明はインターネット上において、名前だけの検索条件で検索対象本人に関わる情報取得と、双方からの連絡など情報の送受信を可能とするサービスを享受する基盤を提供し、人と人の積極的なコミュニケーションを活性化させるシステムを得るにある。【解決手段】  既存の同姓同名を含む膨大な名前情報から、本人を特定し属性情報、連絡ツール情報を取得する方法として、あらかじめ所定の形式に情報を集約した個人ポータルサイトを策定し、検索エンジンに個人ポータルサイト毎に登録するものである。既存インターネットの名前情報の中には、検索者が知ろうとする適切な内容で構成された情報等存在しないことから、このように作成し提供される個人ポータルサイトからの正確な情報は必須であり有効である。【選択図】  図１
2006146847.tif 000002
【特許請求の範囲】
【請求項１】
インターネットにおける個人に関する連絡方法であって、名前だけの検索条件から検索対象本人の情報取得に関する方法。
【請求項２】
名前だけの検索条件から、検索対象本人の特定を可能とする方法。
【請求項３】
名前だけの検索条件から、検索対象本人との連絡・送受信を可能とする方法
【発明の詳細な説明】
【技術分野】
【０００１】  本発明はインターネットにおける個人アクセス技術に関し名前を検索条件とし、適正な検索対象本人へのアクセス方法及び情報取得に適用して有効な技術に関する。
【背景技術】
【０００２】  誰でも、いつでもどこからでも簡単にインターネットを介し、検索対象本人を特定し属性情報を取得し双方の連絡・送受信を可能とするアクセス方法に、既存システムの複雑で面倒なＵＲＬの文字列を入力する方法は極めて不便な実情にある。【０００３】  インターネット上に置かれた情報資源に、名前だけの検索条件により「Ｇｏｏｇｌｅ」「Ｙａｈｏｏ」「ＭＳＮ」などに代表される検索エンジンから探査をおこなうと、登録されている情報の中に、名前が記載されているページが検索の対象になり同姓同名の名前を含め「行」単位で膨大な量の情報が検索される。【０００４】  「ページとの一致」として検索される情報は、情報源を総称したタイトル部、ページの中で検索対象本人に該当する名前が記載されている行の一部分、そして検索元であるＵＲＬから構成され、概ね３〜５行以内データに集約されている。しかし、この情報は名前に関わる断片的情報であり名前は確認できるが本人の特定並びに属性情報、連絡ツール等を取得するには極めて困難な実情にある。
【発明の開示】
【発明が解決しようとする課題】
【０００５】  通常インターネット上に置かれた個人に関する情報資源へのアクセス方法には、どうしても複雑で面倒なＵＲＬを意識せざるを得なく、特に高齢者やＩＴ弱者にとっては大きな負担となっている。もっと容易に誰でも操作が簡単なアクセス方法があれば便利である。このような状況を踏まえ、誰にでもある「名前」を介するアクセス方法を提案する。【０００６】  次に、ページとの一致により検索される名前情報は、検索対象本人情報の存在を含め、本人の特定を判断できる表示形態、内容になく、すべての断片的情報を確認しても困難な状況にある。このような状況を踏まえ、大量の情報から容易に本人の特定を可能とする方法を提案する。【０００７】  インターネットに公開されている名前情報は、どの情報源からどのような経緯や基準を経て公開され、表示されているか不明な状況にある。また内容の確認や承認等なされることなく、情報が公開されている事実さえ知らない状況も少なくない。このような状況を踏まえ自らの情報は内容を確認、公開の承認がなされた策定方法について提案する。【０００８】  次に、検索対象本人のプロフィール、近況や活動動向、そして過去にさかのぼった履歴や実績等属性情報を取得するだけでなく、より積極的なコミュニケーションの拡大をめざし、連絡ツール情報の活用による双方からの連絡・送受信を可能とする方法について提案する。
【課題を解決するための手段】
【０００９】  名前だけの検索条件で検索対象本人の情報取得に関する方法では、検索される膨大な同姓同名情報の中に、本人情報が存在し内容に属性情報、連絡ツール情報等が公開されている事が必要である、しかしこれら要件を満す情報は存在していないのが実情である。よって本発明では、検索対象本人情報について、あらかじめ所定の形式に情報を集約するフォーム（以下、個人ポータルサイトと称する）を策定し検索エンジンに出力情報として登録する事で、情報取得を可能とした方法を特徴とする。【００１０】  策定する個人ポータルサイトの内容は、プロフィール情報として、氏名、生年月日、年齢、出身地、血液型、学歴、専門・職業、資格、本人の写真等、履歴情報として、現在の近況や活動動向、経歴、趣味、その他経験や実績から成果・作品等を紹介する。次に連絡ツール情報として住所、電話番号、携帯電話番号、電子メールアドレス、ＩＰアドレスやＵＲＬ等情報から構成する。【００１１】  次に個人ポータルサイトの策定に際し本人または本人の関係者から、属性情報・連絡ツールの基本情報を取得するものとし、その内容、表記方法等について本人確認を義務づける。なかでも連絡ツールからのアドレス情報の提供並びに公開について、本人の承認が得られたものを検索エンジンへ登録する。【００１２】  検索対象本人の特定を可能とする方法では、個人ポータルサイトの全体構成、内容構築において、名前並びに本人の特徴を優先配列し、判断情報を集約編集するものである。すなわち各種検索エンジンが探査するタイトル部に名前、プロフィールを接続する名前配列を設定、次にページとの一致として表示される最初の行となる情報に本人の名前、プロフィール、生年月日、出身地、血液型、出身校並びに本人の特徴等を順次配列する事により、検索エンジンに検索され公開される情報に、検索対象本人の特定を可能にする情報が集約していることを特徴とする。【００１３】  検索対象本人との連絡・送受信を可能とする方法は、個人ポータルサイトに連絡ツール情報を集約しリンクに張るものである。結果、リンクより取得するアドレスを介し、検索者から連絡または送信を可能とする。また連絡ツール情報がリンクにない場合、検索者から要望・意向等受信し、検索対象本人に伝達するメッセージ機能を、リンクに張る事で双方の連絡・送受信を可能とした方法を特徴とする。
【発明の効果】
【００１４】  名前だけの検索条件から、検索者が意図する検索対象本人の正確で適正な属性情報及び連絡ツール等集約編集された個人ポータルサイトの策定は、今まで存在しなかった名前検索情報の中に、最も適切な情報を存在させた効果がある。【００１５】  あらかじめ検索対象本人の個人ポータルサイトを策定し検索エンジンに登録する事により、名前検索という単純な検索方法から、検索者が意図する正確で適正な属性情報及び連絡ツール情報の取得を可能とした効果がある。【００１６】  個人ポータルサイトの全体構成、内容構築から、名前、プロフィールを接続させたタイトル部、ページとの一致として表示される行に本人の特徴を集約編集した結果、検索エンジンから、ヒットの優先並びに表示位置上位の確保と本人の特定を容易にした効果がある。【００１７】  名前だけの検索条件という最も簡単なアクセス方法により、複雑で面倒なＵＲＬの文字列を入力することなく、誰にでも簡単に、そして何処からでもインターネットの活用を可能とした効果がある。【００１８】  また個人ポータルサイト情報の集積並びに充実により、既存電話における電話帳に相当する、インターネット版「インターネット帳」の役割や機能を担う効果が期待できる。
【発明の実施するための最良の形態】
【００１９】  以下、本発明の実施の形態を図１〜図３に基づいて説明する。
【００２０】  図１は本発明のインターネットにおける名前検索による検索対象本人へのアクセス並びに属性情報，連絡ツール等情報の取得方法に関する概略図、図２はあらかじめ所定の形式に情報を集約編集し策定した個人ポータルサイトで、取得可能な検索対象本人情報の概要、図３は本発明の個人ポータルサイトを検索エンジンがヒツトし「ページとの一致」に検索し表示される本人の特定を容易にする検索情報フォームである。
【００２１】  図１の概略図に従って情報取得を可能にする方法について説明する。名前検索という最も簡単な検索条件から検索対象本人の情報を取得する過程で、最初にあらかじめ策定された個人ポータルサイト１２（図２）の検索エンジンへの登録１１を介し、同姓同名を含めた膨大な情報の中に検索対象本人情報の存在を確認する。
【００２２】  本人の特定では、個人ポータルサイト（図２）の全体構成、内容構築において、あらかじめ名前とＰＲＯＦＩＬＥを接続したタイトル部２４、名前、プロフィールを接続しページとの一致として表示される最初の行２５、ページの一致として順次表示される内容２６のように本人の特徴を優先配列し判断情報を集約編集した結果、検索エンジンがページとの一致として検索し公開する情報は、検索情報フォーム１３（図３）の仕様に準じて表示される、そしてその内容から瞬時に本人の特定を可能にする。
【００２３】  次に、本来の目的であるプロフィール情報・属性情報・連絡ツール等情報の取得では本人の特定、求める情報の存在を確認した検索情報フォーム１３（図３）をクリック検索する事によりプロフィール情報として、氏名、生年月日、年齢、出身地、血液型、学歴、専門・職業、資格、本人の写真等、履歴情報として現在の近況や活動動向、経歴、趣味、その他経験や実績から成果・作品等を紹介、そして連絡ツール情報として住所、電話番号、携帯番号、電子メールアドレス、ＩＰアドレスやＵＲＬ情報等、所定の形式に情報が集約されている個人ポータルサイト（図２）が検索され、詳細な情報取得を可能にする。
【００２４】  最後に、積極的なコミュニケーションの拡大を意図した連絡・送受信を可能とする方法は、個人ポータルサイトに連絡ツール情報２３を編集しリンクに張るものである、結果、リンク情報から住所やＵＲＬ等連絡先情報の取得により、検索者から連絡または送受信を可能とする。
【図面の簡単な説明】
【００２５】
【図１】  インターネットにおける名前検索による検索対象本人へのアクセス並びに属性情報，連絡ツール等情報の取得方法に関する概略図である。
【図２】  本発明による、あらかじめ所定の形式に情報を集約編集させて策定した個人ポータルサイトであり、検索者が取得する検索対象本人情報の概要である。
【図３】  本発明の個人ポータルサイトを検索エンジンがヒツトし「ページとの一致」に検索し表示される本人の特定を容易にする検索情報フォームである。
【符号の説明】
【００２６】１１  検索エンジンへの登録
１２  個人ポータルサイト
１３  ページとの一致により表示される検索情報フォーム
２１  プロフィール情報
２２  履歴情報
２３  連絡ツール情報
２４  名前、ｐｒｏｆｉｌｅを接続したタイトル部
２５  名前、プロフィールを接続しページとの一致として表示される最初の行
２６  ページの一致として順次表示される内容
２７  個人ポータルサイト（概略図の１２に該当）
３１  ページとの一致として表記される２４から成るタイトル
３２  ページとの一致として表記される２５・２６から成る行
３３  検索元ウェブサイトＵＲＬ
３４  検索情報フォーム（概略図の１３に該当）
【図１】
2006146847.tif 000003
【図２】
2006146847.tif 000004
【図３】
2006146847.tif 000005